(57)【要約】【課題】  容器本体を横向けにしたり、または倒立させることなく、立てたままの状態でも使用することでき、さらに毛染め液などの塗布液が誘導芯部に滲み込み易いものとし、また携帯時においても塗布液が漏れることなく、しかも塗布液を誘導する櫛部の構造を簡単なものにした頭髪用塗布具を提供する。【解決手段】  塗布液を含浸させたフェルト芯体１と、このフェルト芯体１を収納する容器本体２と、この容器本体２に蓋をしておく蓋体３とからなり、フェルト芯体１は一端に複数本の櫛歯部１ａを一体的に形成しており、容器本体２はフェルト芯体１の櫛歯部１ａを露出するようにして、このフェルト芯体１を容器本体２に収納したものとしている。【選択図】    図１
2005218622.tif 000002
【特許請求の範囲】
【請求項１】
塗布液を含浸させたフェルト芯体（１）と、このフェルト芯体（１）を収納する容器本体（２）と、この容器本体（２）に蓋をしておく蓋体（３）とからなり、フェルト芯体（１）は一端に複数本の櫛歯部（１ａ）を一体的に形成しており、容器本体（２）はフェルト芯体（１）の櫛歯部（１ａ）を露出するようにして、このフェルト芯体（１）を容器本体（２）に収納したことを特徴とする頭髪用塗布具。
【請求項２】
前記フェルト芯体（１）の櫛歯部（１ａ）の硬さまたは強度を調整したことを特徴とする請求項１記載の頭髪用塗布具。
【請求項３】
前記容器本体（２）の上面に、前記フェルト芯体（１）に複数本形成した櫛歯部（１ａ）のそれぞれの両側端に位置するようにして、この櫛歯部（１ａ）より長くした補助櫛歯（６）を設けたことを特徴とする請求項１記載の頭髪用塗布具。
【請求項４】
前記容器本体（２）の上面の両端に、前記複数本形成した櫛歯部（１ａ）の最外両端の櫛歯部（１ａ）の外方に位置するようにして、この櫛歯部（１ａ）より長くした補助櫛歯（７）を設けたことを特徴とする請求項１記載の頭髪用塗布具。
【発明の詳細な説明】
【技術分野】
【０００１】
この発明は、毛染め液や整髪料などの塗布液を頭髪に塗布するための頭髪用塗布具に関するものである。
【背景技術】
【０００２】
従来、この種の頭髪用塗布具としては、例えば図１０、１１に示したように、容器本体１１の口縁部１１ａに櫛付きキャップ１２を取付けたものとしており、櫛付きキャップ１２の列設された主櫛歯片１３には、容器本体１１内に連通して主櫛歯片１３の側面に開口する注出口１３ａが設けられ、また主櫛歯片１３の両側にその先端が同じ高さ以上とされた副櫛歯片１４が列設されたものが存在する（特許文献１）。
【０００３】
このように構成された従来の頭髪用塗布具は、両側の副櫛歯片１４を頭皮に当接すれば、頭皮に対して主櫛歯片１３が直角に維持され、頭髪を梳くことができる。したがって、この頭髪用塗布具は、使用者が容易かつ均一に毛染め液などの塗布液を塗布することができるという効果を有する。
【０００４】
さらに、この種の頭髪用塗布具としては、例えば図１２、１３に示したように、毛染め液を収納した容器本体２１と、この容器本体２１に過半部が挿入された毛染め液誘導芯部及びこの誘導芯部の容器本体２１の先端より突出した誘導芯部の長棒形状の突出部２２に嵌合装着された短歯２３と長歯２４を有する櫛部２５よりなり、櫛部２５は連結部２６によって連結された上下二本のブリッジ２７、２８を備え、これらブリッジ２７、２８を連結するよう頭皮側のブリッジ２８に設けられた長歯２４と、前記ブリッジ２７、２８を連結することなく、頭皮側のブリッジ２８にのみ設けられた短歯２３が少なくとも交互に配置されたものが存在する（特許文献２）。
【０００５】
このように構成された従来の頭髪用塗布具は、毛染めのときに毛髪に櫛の歯が接触しても毛染め液の滲出面に毛髪が接触することがないので、滲出した毛染め液によって頭の地肌を汚すことなく毛染めを行うことができるという効果を有する。
【特許文献１】特開２００２−１９１４２７号公報（第２頁、図１、３）
【特許文献２】特開平１０−２６２７２６号公報（第２頁、図１、３）
【発明の開示】
【発明が解決しようとする課題】
【０００６】
しかしながら、図１０、１１に示した従来の頭髪用塗布具では、櫛先（主櫛歯片１３の注出口１３ｂ）まで毛染め液などの塗布液を送るためには、容器本体１１を横向けにしたり、または倒立させて使用しなければならず、使い勝手が非常に悪いという課題を有していた。
【０００７】
また、この従来の頭髪用塗布具では、容器本体１１を横向けにしたり、または倒立させた状態で放置すると、毛染め液が漏れるなどの問題があり、携帯するのには不便であるという課題を有していた。
【０００８】
さらに、図１２、１３に示した従来の頭髪用塗布具では、誘導芯部の突出部２２を長棒形状としているため、毛染め液がこの誘導芯部の突出部２２の先端までになかなか滲み込まず、毛染め液の毛髪への塗布が充分に行うことができないという課題を有していた。
【０００９】
また、この従来の頭髪用塗布具では、誘導芯部の突出部２２に嵌合装着される櫛部２５の構造が複雑なものとなり、製造コストが高くなるという課題を有していた。
【００１０】
そこで、この発明は、上記従来の課題を解決するものであり、容器本体を横向けにしたり、または倒立させることなく、立てたままの状態でも使用することでき、さらに毛染め液などの塗布液が誘導芯部に滲み込み易いものとし、また携帯時においても塗布液が漏れることなく、しかも塗布液を誘導する櫛部の構造を簡単なものにした頭髪用塗布具を提供することを目的としてなされたものである。
【課題を解決するための手段】
【００１１】
そのため、この発明の頭髪用塗布具は、塗布液を含浸させたフェルト芯体１と、このフェルト芯体１を収納する容器本体２と、この容器本体２に蓋をしておく蓋体３とからなり、フェルト芯体１は一端に複数本の櫛歯部１ａを一体的に形成しており、容器本体２はフェルト芯体１の櫛歯部１ａを露出するようにして、このフェルト芯体１を容器本体２に収納したものとしている。
【００１２】
さらに、この発明の頭髪用塗布具は、前記フェルト芯体１の櫛歯部１ａの硬さまたは強度を調整したものにしている。
【００１３】
また、この発明の頭髪用塗布具は、前記容器本体２の上面に、前記フェルト芯体１に複数本形成した櫛歯部１ａのそれぞれの両側端に位置するようにして、この櫛歯部１ａより長くした補助櫛歯６を設けたものとしている。
【００１４】
さらに、この発明の頭髪用塗布具は、前記容器本体２の上面の両端に、前記複数本形成した櫛歯部１ａの最外両端の櫛歯部１ａの外方に位置するようにして、この櫛歯部１ａより長くした補助櫛歯７を設けたものとしている。
【発明の効果】
【００１５】
この発明の頭髪用塗布具は、以上に述べたように構成されているので、容器本体を横向けにしたり、または倒立させることなく、立てたままの状態でも使用することができるようになり使い勝手の良いものとなる。さらに、この発明の頭髪用塗布具は、塗布液が誘導芯部に滲み込み易いものとしたので、塗布液の毛髪への塗布が充分に行うことができるものとなる。また、この発明の頭髪用塗布具は、携帯時においても塗布液が漏れることがないので、携帯するのに便利なものとなる。しかも、この発明の頭髪用塗布具は、塗布液を誘導する櫛部の構造を簡単なものにしたので、製造コストが安くなる。
【発明を実施するための最良の形態】
【００１６】
以下、この発明の頭髪用塗布具の実施の形態を、図面に基づいて詳細に説明する。
【００１７】
図１〜３は、この発明の頭髪用塗布具の一実施形態を示しており、毛染め液などの塗布液を含浸させたフェルト芯体１と、このフェルト芯体１を収納する合成樹脂製の容器本体２と、この容器本体２に蓋をしておく合成樹脂製の蓋体３とからなる。
【００１８】
フェルト芯体１は、羊毛繊維、アクリル繊維やポリエステル繊維などからなるものとしており、縦長で平坦状の略直方体に形成しており、一端に複数本の櫛歯部１ａを一体的に形成している。この櫛歯部１ａは、図示したものは、フェルト芯体１の上端の全域に渡って形成したものとしている。図示したフェルト芯体１は、上端の上面形状を略長方形としており、櫛歯部１ａは、この略長方形の長さ方向に並列して複数本形成したものとしている。櫛歯部１ａの形状は、横断面を細長の略長方形とし、髪を梳く際に髪との接触面積を広くして、均一かつ効率的に塗布液を髪へ塗布できるようにしている。さらに、櫛歯部１ａの形状は、図４、５に示したように、前記略長方形の両端を細くしたり、丸みを付けたものとして、髪を梳くときの抵抗を減らすようにすることができる。前記櫛歯部１ａは、裁断加工することによりフェルト芯体１の上端に形成しており、加工し易いものとしているが、加工方法は特に限定されるものではない。また、フェルト芯体１の櫛歯部１ａは、合成樹脂を含浸させるなどして、硬さまたは強度を調整したものにすることができる。このようにすれば、毛染めや整髪などの用途に適した使用感を得ることができ、またフェルト芯体１の上端に、強度性に優れたものとして櫛歯部１ａを形成することができる。なお、フェルト芯体１は、毛染め液などの塗布液をあらかじめ含浸させておいてもよいが、後に述べる容器本体１の底部に設けた注入口４から注入することにより、塗布液を含浸させたものとしてもよい。
【００１９】
容器本体２は、フェルト芯体１の櫛歯部１ａが露出するようにして、このフェルト芯体１を容器本体２の全域に収納するものとしており、上部に前記蓋体３の嵌合部２ａが形成されたものとしている。また、この容器本体２には、図６に示したように、その底部には、毛染め液などの塗布液の注入口４を設けたものとしている。そして、この注入口４には、開閉蓋５を着脱自在として設けたものとしている。さらに、図７、８に示したように、この容器本体２の上面には、前記フェルト芯体１に複数本形成した櫛歯部１ａのそれぞれの両側端に位置するようにして、この櫛歯部１ａより長くした補助櫛歯６を設けたものとしている。前記補助櫛歯６は、梳き初めの髪が櫛歯部１ａに直接当たらないようにして、櫛歯部１ａを傷めないようにすると共に、髪を梳くときに櫛歯部１ａの先端が直接頭皮に当たらないようにして、塗布液が頭皮に塗布されないようにしている。また、図９に示したように、この容器本体２の上面の両端には、前記並列して複数本形成した櫛歯部１ａの最外両端の櫛歯部１ａの外方に位置するようにして、この櫛歯部１ａより長くした補助櫛歯７を設けたものとしている。前記補助櫛歯７は、髪を梳くときに櫛歯部１ａの先端が直接頭皮に当たらないようにして、塗布液が頭皮に塗布されないようにしている。
【００２０】
蓋体３は、キャップ形状としており、フェルト芯体１の櫛歯部１ａを覆うようにして、前記容器本体２に取り付けられるものであり、この容器本体２の上部の嵌合部２ａに着脱自在として嵌め込まれている。この蓋体３は、フェルト芯体１の櫛歯部１ａを外気に触れないようにして、このフェルト芯体１の櫛歯部１ａが乾燥しないようにし、塗布液の櫛歯部１ａへの供給が妨げられないようにすると共に、使用時以外に塗布液が髪以外に付着しないようにするためのものである。
【００２１】
塗布液は、毛染め液、整髪料、着色剤など髪に塗布されるものであればよく、前記フェルト芯体１に含浸させて、前記容器本体２に貯留されるものである。
【００２２】
以上のように構成されたこの発明の頭髪用塗布具は、フェルト芯体１に含浸させた塗布液が櫛歯部１ａまで常に滲み込んだものとなっているので、塗布液の毛髪への塗布が充分に行うことができる。また、この発明の頭髪用塗布具は、前記したようにフェルト芯体１に含浸させた塗布液が櫛歯部１ａまで常に滲み込んだものとなっているため、容器本体１を横向けにしたり、倒立させたりしなくても使用することができる。さらに、この発明の頭髪用塗布具は、フェルト芯体１に含浸させた塗布液がこのフェルト芯体１に保持されているので、容器本体１を横向けにしたり、倒立させた状態で放置しても、塗布液が漏れることはない。しかも、この発明の頭髪用塗布具は、裁断加工することになどによって、櫛歯部１ａをフェルト芯体１の上端に容易に形成することができる。さらにまた、この発明の頭髪用塗布具は、部品点数が少なく製造コストを安くすることができる。
【図面の簡単な説明】
【００２３】
【図１】この発明の頭髪用塗布具の一実施形態を示す斜視図である。
【図２】この発明の頭髪用塗布具のフェルト芯体の斜視図である。
【図３】この発明の頭髪用塗布具の断面図である。
【図４】この発明の頭髪用塗布具の他の実施形態を示す斜視図である。
【図５】この発明の頭髪用塗布具の他の実施形態を示す平面図である。
【図６】この発明の頭髪用塗布具のさらに他の実施形態を示す断面図である。
【図７】この発明の頭髪用塗布具のさらに他の実施形態を示す斜視図である。
【図８】この発明の頭髪用塗布具のさらに他の実施形態を示す平面図である。
【図９】この発明の頭髪用塗布具のさらに他の実施形態を示す斜視図である。
【図１０】従来の頭髪用塗布具の一例を示す要部断面図である。
【図１１】図１０に示す従来の頭髪用塗布具の櫛付きキャップの斜視図である。
【図１２】従来の頭髪用塗布具の他の例を示す斜視図である。
【図１３】図１２に示す従来の頭髪用塗布具の櫛部の断面図である。
【符号の説明】
【００２４】
１  フェルト芯体
１ａ  櫛歯部
２  容器本体
３  蓋体
６  補助櫛歯
７  補助櫛歯
【図１】
2005218622.tif 000003
【図２】
2005218622.tif 000004
【図３】
2005218622.tif 000005
【図４】
2005218622.tif 000006
【図５】
2005218622.tif 000007
【図６】
2005218622.tif 000008
【図７】
2005218622.tif 000009
【図８】
2005218622.tif 000010
【図９】
2005218622.tif 000011
【図１０】
2005218622.tif 000012
【図１１】
2005218622.tif 000013
【図１２】
2005218622.tif 000014
【図１３】
2005218622.tif 000015